(57)【要約】【課題】  糸巻きからの上糸を下型天秤の動きを利用し繰出し、且つ上地と裏地を同時送りすることで生地厚に左右されない間歇ステッチ掛けを可能とする。【解決手段】  下型天秤を配す本縫いミシン機構で、この天秤３０には糸調子用と糸巻き用の二つの糸通し孔３６，３８を設け糸巻き側上糸ａに無理な引張りを与えず、針板下面のルーパー部８の糸孔７を、２本のルーパー用連動杆６，６′の前後動に起因し針落ち位置に対し８の字軌跡を描かせ下糸との絡みを間歇にし、縫い針と添え針を支持する針棒を二重軸構造とし各針の上下動に振れをなくすことで添え針自体を極細とし薄地のステッチ掛けも良好とし、且つ縫い針端が進入するベッド下面カム枠部内を、針フックを規制する半回転型ドライバー部と下糸ボビンを配す所定カマを組合わせ確実な上糸絡みを得るカマ装置部２３とする。【選択図】      図４
2006068380.tif 000002
【特許請求の範囲】
【請求項１】
ミシン本体のベッド下方に配した下型天秤で導かれる上糸と半回転型カマのボビンより出る下糸とで縫着をする本縫いミシン機構において、このベッド下部に、上軸より伝達の駆動軸で連動する２本の異なる速度の前後動をもつルーパー用連動杆を、針板下面に臨む上糸を通す調整型糸孔付きルーパー部と該ルーパ部を受ける支持板とに連結し針落ち位置に対し糸孔を水平状８の字軌跡の運動をもたせた下糸絡み制御用ルーパー揺動装置部と、上軸より連動するカマ枠部内に臨む半回転の下軸端に針板下面を出る縫い針フック口を塞ぐ糸押え爪付きドライバー部を設けると共に、該ドライバー部の対称位置に配し追従の半回転型カマを組合わせて形成の上糸絡み用カマ装置部と、前記駆動軸より連動し擺動杆を介し揺動するカマ枠部外側に枢着の下型天秤を、所定の糸通し孔とその基方に糸巻き側からの糸を直接導く第二糸通し孔を設けた下型天秤装置部とし、前記駆動軸より連動し上軸と同回転となる裏地送り軸端に配す揺動カム駒を介し連設の針板下面にて横往復する送り板に裏地送り歯を配設した裏地送り機構を備え、ベッド上部に上軸から連動し上下動する針棒を二重軸構造とし、この外環針棒部端の支持駒にフック付き縫い針を、該外環針棒部より繰出す芯棒部端の支持駒に縫い針長溝に添う添え針を取付け、且つ前記添え針と縫い針を芯棒部支持駒端の凸段部より突出させた針支持装置部と、上軸から適宜伝達する縦動カムで可動する補助天秤用擺動板に設けた下端にループ引掛け爪を配す昇降機構を、上軸から別途伝達の横動カムで前後動する横振り機構に組合わせて形成の上糸用ループ兼ループ外しの補助天秤装置部と、また上軸から別途連動する布押えと布送りを交互に行う押え金と布送り体を針板上部の針落ち近傍に臨ませ、押え金の凹段部に前記芯棒部支持駒の凸段部を受ける添え針降下規制手段とし、生地を刺す縫い針で引掛けるカマ位置の上糸に対する下糸の絡みを、前記ルーパー部の８の字軌跡の半分位置で１回分を逃がし縫着間隔を１ピッチ抜かすことを特徴とする間歇ステッチ縫いミシン。
【請求項２】
ドライバー部が、下軸端に一体となる回転盤部の片縁に設けた緩衝バネで可動自在なフック口用糸押え爪付き制御駒と、該制御駒の直角位置に配す前記糸押え爪の針先が臨む案内溝をもつ屈曲壁部を形成のカマ回転兼支持駒材とよりなる請求項１記載の間歇ステッチ縫いミシン。
【請求項３】
裏地送り機構が、裏地送り軸端に設けた偏心カラーをコ字状傾斜の揺動カム駒に嵌め、該揺動カム駒に連設した針板下面位置を横切る水平状送り板に裏地送り歯を固定し、且つ送り板の先端をバネ弾発に起因しスイングする起立揺動板に連結する請求項１記載の間歇ステッチ縫いミシン。
【発明の詳細な説明】
【技術分野】
【０００１】
本発明は、本縫い形式のミシン装置で間歇的な飾りステッチを付ける間歇ステッチ縫いミシンに関するものである。
【背景技術】
【０００２】
一般に、婦人服，紳士服，コート，シャツ等の適宜箇所に商品価値を高め一種の飾り縫いになる間隔ステッチを付ける衣服が多く見られる様になってきている。この場合、縫着作業としては、旧くは手縫いをもって成す程度であり工業的な縫着に至らず非能率的であった。このため、最近ではミシン装置の改良に伴い同ステッチ掛けの機械縫着が可能となる様に発展してきている。例えば、１本糸の環縫い方式を用いるピンポイント縫いミシン（特開昭５５−１２０８９１号公報参照）とか、フック付き針を用い普通糸の使用で縫着ができるステッチ機構を備えたミシン（特公昭５８−３５７号公報参照）等が知られている。
【特許文献１】特開昭５５−１２０８９１号公報
【特許文献２】特公昭５８−３５７号公報
【特許文献３】特開平９−１６４２８０号公報
【発明の開示】
【発明が解決しようとする課題】
【０００３】
しかし、前記ミシン装置を使った機械的なステッチ縫いにあって、例えば特許文献１であるピンポイント縫いミシンは特殊２本針方式によるものであり、且つ１本糸の環縫い方法を取るために縫い端が外れほつれると共に、角縫いができない（２本針使用のため）。即ち、ステッチは直線縫いしかできずカーブを付けた縫いとか直角に曲がる角縫いができず柄模様風なステッチ掛けを得ることも不可能である。しかも、縫い端が一旦ほぐれると糸全部が外れ抜けを招く虞れがあり、この点からも最適なステッチ掛けとは至らない。
【０００４】
また、特殊ステッチ機構を備えたミシン（特許文献２）では、一般の普通糸を用いるが、この糸は糸巻きより取り機械の装備されている糸切装置によってその都度所定の長さ（例えば、最長が８０ｃｍ程度）に自動カットをして使用するものである。即ち、同ミシンでは、縫い糸の長さが限定される関係上、連続した縫着は望めず量産体制に適するステッチ掛けミシンとは云えない。また、従来のステッチ縫いにおける縫い終り箇所の糸止め作業も面倒であった。
【０００５】
なお、上記ミシン装置の欠点を一掃した間歇ステッチ用ミシンとしては、先に本件出願人が提示した間歇ステップ縫い方法及びそのミシン（特開平９−１６４２８０号公報参照）もある。しかし、一般にミシンに使用する糸は所定糸巻きに巻き付いている関係上、糸巻きから導かれる糸には自然と巻き癖せが付いているので、この巻き癖がステッチ縫着には問題となる。即ち、糸巻きから導出して延ばす糸には撚りが生じているため、この状態だと縫い針のフックに糸を引掛けようとしても撚り現象に起因し跳ねることがある（引掛からない）。例えば、上方から生地を刺した針の後退時（上昇）に、同フック位置に掛かる糸（上糸）が撚りによって逃げ（跳ねる）フック掛けができず、一定間隔のステッチ掛けにならず商品価値を下げる結果にもなる。
【０００６】
また、カマ枠部内には単に片側部分に所定回転（半回転）をもつカマが配されるだけであり、針板下面に降下して臨む縫い針のフック口に引掛かる上糸を押える手段は全くない。前記フック口を規制するものとしては縫い針に併設する添え針を備えるが、該添え針は縫い針が生地内に所定量刺されるまで添わせるだけでカマ枠部内までは及ばない。また、縫い針と添え針は夫々独立した２本の針棒に配されるだけで、独立の針棒では軸振れが生じ易い。このため、添え針としては太めの針構造にしないと対処しえない。太い添え針使用では縫い針縦溝中に完全に嵌まり込む状態とはならず、針が刺さった生地の糸孔も大きくなり、針フック口の押えが緩く、この点からも上糸跳びが起こり易い。即ち、添え針の単独軸の支持構造では針フック口を確実に閉じることはできず、針フックに掛かる筈の糸が逃げだしステッチ跳ねとして現れ、特に太添え針では縫着地が薄地使用の場合、どうしても生地糸を引掛け易く仕上がり良いステッチ掛けとはいかない。
【０００７】
しかも、ステッチ掛けの形状を生地裁断状態，柄等に見合う曲線状の縫着では、縫い針と添え針が独立した２軸支持では円滑に縫い針に対し添え針を確実に追従させることはできず、生地内にあってフック口塞ぎが難しく、どうしても目跳びしたステッチ掛けになり易く、各種生地や各種ステッチ形状に対処する完全なるステッチ掛けミシンには至らず問題を残している。また、従来この種のミシン装置では、一般的な生地送り手段として生地上面（表地）のみを圧接しながら送り出す布送り機構をもって行うだけのため（片面の布送り）、どうしても厚地使用では表裏面に均一な送りが与えられず、ステッチ仕上がりに目跳びや縫い襞も起き易い。
【０００８】
特に、薄生地の場合、糸テンションを縫い始めに合わせると縫い終わり部分では生地に縮みができ、縫い終わり部分に合わせると縫い始め側に縮みが生ずるるものであり、糸調子の調整が難しかった。
【０００９】
更に、従来の天秤形状としても、単に揺動する天秤本体の先端に単一の糸孔を設けただけの構造であり、糸巻き側から導く上糸は該糸孔を経て糸調子車に直接案内する構成を取ることになり、糸の種類（太さの違い等）にあっては該糸に引っ張りテンションが掛かり過ぎ糸切れを招くことも多々あった。
【００１０】
また、前記の様に普通の糸巻きを用いるには、繰出した糸にはどうしても糸撚り戻しができ縫い針フックに糸が掛からないことがあり、勢いロウ引き等を施すなどの特殊加糸である所謂腰のある高級糸を用いるには、前記フック跳ねを抑えられるかも知れないが、少し糸張りを緩める油敷き工程を加える等の手当てが必要になり、延いてはコスト高にもつながる。このため、特殊加工を施さない普通糸の糸巻き使用も可能になるステッチ掛けミシン装置の更なる開発が待たれている。
【００１１】
本発明は上記実情に鑑み、所定のカマ位置に針フック口を塞ぐ揺動針抑え駒（ドライバー部）を併設したり、針棒を二重軸構成とし極細添え針の装着を可能とすることで、上記課題を解決する間歇ステッチ用ミシンを提供することを目的としたものである。
【課題を解決するための手段】
【００１２】
本発明は、ミシン本体のベッド下方に配した下型天秤で導かれる上糸と半回転型カマのボビンより出る下糸とで縫着をする本縫いミシン機構において、このベッド下部に、上軸より伝達の駆動軸で連動する２本の異なる速度の前後動をもつルーパー用連動杆を、針板下面に臨む上糸を通す調整型糸孔付きルーパー部と該ルーパ部を受ける支持板とに連結し針落ち位置に対し糸孔を水平状８の字軌跡の運動をもたせた下糸絡み制御用ルーパー揺動装置部と、上軸より連動するカマ枠部内に臨む半回転の下軸端に針板下面を出る縫い針フック口を塞ぐ糸押え爪付きドライバー部を設けると共に、該ドライバー部の対称位置に配し追従の半回転型カマを組合わせて形成の上糸絡み用カマ装置部と、前記駆動軸より連動し擺動杆を介し揺動するカマ枠部外側に枢着の下型天秤を、所定の糸通し孔とその基方に糸巻き側からの糸を直接導く第二糸通し孔を設け下型天秤装置部とし、前記駆動軸より連動し上軸と同回転となる裏地送り軸端に配す揺動カム駒を介し連設の針板下面にて横往復する送り板に裏地送り歯を配設した裏地送り機構を備え、ベッド上部に上軸から連動し上下動する針棒を二重軸構造とし、この外環針棒部端の支持駒にフック付き縫い針を、該外環針棒部より繰出す芯棒部端の支持駒に縫い針長溝に添う添え針を取付け、且つ前記添え針と縫い針を芯棒部支持駒端の凸段部より突出してなる針支持装置部と、上軸から適宜伝達する縦動カムで可動する補助天秤用擺動板に設けた下端にループ引掛け爪を配す昇降機構を、上軸から別途伝達の横動カムで前後動する横振り機構に組合わせて形成の上糸用ループ兼ループ外しの補助天秤装置部と、また上軸から別途連動する布押えと布送りを交互に行う押え金と布送り体を針板上部の針落ち近傍に臨ませ、押え金の凹段部に前記芯棒部支持駒の凸段部を受ける添え針降下規制手段とし、生地を刺す縫い針で引掛けるカマ位置の上糸に対する下糸の絡みを、前記ルーパー部の８の字軌跡の半分位置で１回分を逃がし縫着間隔を１ピッチ抜かすものである。
【００１３】
ドライバー部が、下軸端に一体となる回転盤部の片縁に設けた緩衝バネで可動自在なフック口用糸押え爪付き制御駒と、該制御駒の直角位置に配す前記糸押え爪の針先が臨む案内溝をもつ屈曲壁部を形成のカマ回転兼支持駒材とよりなる。
【００１４】
裏地送り機構が、裏地送り軸端に設けた偏心カラーをコ字状傾斜の揺動カム駒に嵌め、該揺動カム駒に連設した針板下面位置を横切る水平状送り板に裏地送り歯を固定し、且つ送り板の先端をバネ弾発に起因しスイングする起立揺動板に連結する。
【００１５】
この様に構成された本発明の間歇ステッチ縫いミシンは、針板下面に臨むルーパー用支持板と該支持板で受けるルーパー部を、速度の異なる２本の前後動する連動杆の２連結点をもって揺動させるルーパー機構とし、ルーパー部側端に突設の針落下位置に臨む上糸用糸孔を８の字軌跡を描く様にしたため、この針孔が８の字軌跡中、一部（半分域）が針落ち位置を避ける待機位置（１回分を迂回）になり、上糸と下糸が絡まない状態を取る。ここで、天秤の可動にて繰出される上糸をルーパー部に導くと共に、半回転型カマのボビン側から導出した下糸を針板側に導いておけば、上糸を針板位置から降下する縫い針のフックに引掛け、該針の少し後退で出来るループ部をボビン側の周りを越える回転をすれば縫い目が形成される。
【００１６】
この場合、縫い針と添え針の支持を二重軸構造とした単一針棒にし、この外環針棒部側に縫い針を、該外環針棒部の下方に繰出し自在な芯棒部側に添え針を配し、針棒自体はあくまでも同芯軸であるため、両軸の上下動にあって各軸の軸振れはなく降下動に狂いを生じない。勿論、添え針の昇降動も円滑で、添え針自体が針長溝に完全に嵌まり込み得、該添え針を極細針にすることができ、延いては生地を刺す針孔も小さくなり、縫い針フック口の塞ぎも確実で上糸跳びや、生地自体の糸を引掛けることもない。
【００１７】
しかも、縫い針と添え針は芯軸部端の支持駒に設けた降下規制用凸段部に挿通し下方に突出するが、降下する凸段部が下面に臨む押え金の凹段部に嵌合当接するので添え針は所定位置で止まり（降下規制）、細い添え針でも折損がない。なお、押え金位置以下への降下は縫い針のみが進みカマ側の所定位置に達する。
【００１８】
また、下型天秤の構成は、先端に公知の糸通し孔を配し、その基方（下方）に第二糸通し孔を設ける二孔方式を取り、この第二糸通し孔に糸巻き側から導いた糸を一旦直接挿通させるため、ベッド下方に糸巻きを配すタイプでも、天秤自体の揺動（擺動）に伴って巻き糸が自動繰出され均一な糸送りになり、且つ糸調子の前段にあって溜まるので該糸調子の引張りを直接受けず（非テンション）、糸調子に起因する糸切れも招かない。
【００１９】
ここで、針板を経て降下した縫い針がカマ枠部内のカマ位置に達し、この針先はカマ枠部内のドライバー部の案内駒屈曲壁部にある案内溝に入る状態になり、このフックに上糸が引掛かると共に、該フック口を同案内溝に嵌まり込んでいる制御駒の糸押え爪が回動して臨み塞ぐので糸跳ね規制がなされる。この縫い針フックに上糸が確実に掛かった状態にて針上昇がなされる。このとき、前記ドライバー部は半回転後退がなされ該ドライバー部に押され追従回転するカマが回動してきて、このカマ剣先で上糸を引っ掛けループ部を作る。この後、カマが回転しループ部がボビンの周りを越える様になる。
【００２０】
前記針板下面位置で上糸を掛けた縫い針が上昇後退するとき、前記ドライバー部側の糸押え爪が離れ、生地厚中途からは降下した前記添え針にてフック口が再度塞がれ、更に針板上面にあって形成されている上糸ループ部はアームヘッド近傍に起立した補助天秤装置部の下端に突設のループ引掛け爪が、横揺動と上昇繰上げ動の相乗可動をもって巻き上げて最上位への引っ張りがなされる。また、前記カマの剣先での上糸潜りは完了し、円滑な縫い目ができる。
【００２１】
また、生地送りとしては厚地，薄地等にも対処し得る様に上布と下布を同時に送る機構を取る。即ち、針板下面にあって、上軸と同回転をする第３の回転軸である裏地送り軸端の偏心カラーの偏心回転に伴いコ字状傾斜の揺動カム駒が動揺し、該揺動カム駒に一体の送り板に一種のクランク運動が生じ該送り板の裏地送り歯に接する裏（下）布が盛り上がるように送られる。一方、針板上面では布送り体と押え金は公知の作動機構をもって交互運動がなされ、この布送り体と裏地送り歯との挾持動きにて強制的な生地送りとなり、曲線的なステッチ掛けの操作にも対応し得るこのことは勿論のこと、生地が厚地や薄地又は他の縫い部材等でも確実な布送りとなる。
【００２２】
なお、針掛かりがルーパ部の８の字運動に起因し針掛かり位置と回避位置とに区画されるので、一定間隔に非縫着部が現れ、この点からも確実な間隔ステッチ縫いとなる。また、針板の下面に臨むルーパー部の糸孔は、該ルーパー部の片側に突設の繰出し自在な摺動片に穿つことで、糸通し作業にあって、止め具を緩め摺動片をカマ側に少し繰出せば糸通が上方からも見え容易になる（勿論、糸を通した後は摺動片を後退セットとする）。
【発明の効果】
【００２３】
本発明の間歇ステッチ縫いミシンは、針板下面のルーパー部を２本の異なる速さの前後動する連動杆の２点連結で所定のカム運動をさせ、その糸孔を針落ち位置にあって誤動作のない８の字軌跡を正確に描くことで、上糸と下糸の絡み関係を正確な間歇掛けにし、確実な間歇ステッチを得る。このとき、生地を刺す縫い針フック口は、縫い針と同軸構成で振れのない添え針で塞ぎ、且つカマ側からの後退時にカマ装置部側ドライバー部の糸押え爪で塞ぐのでフック口からの上糸跳び（外れ）もない。即ち、ステッチ跳びもない。また、ベッド下部側のカマ装置部を、縫い針フック口を押える糸押え爪付きドライバー部とカマを対称位置に配し交互にカマ枠部内を半回転し上糸掛け作動と行うため、カマ枠部側にあっての糸跳びもなく、撚りの掛かる糸巻きからの糸にあっても所謂わがまま（撚り戻しに起因する跳ね）が抑えられ、且つカマ剣先での上糸掛けも確実になり、上糸ループのボビン潜りも円滑で、前記針落ち位置と相俟って確実な間歇ステッチの縫い目を得る。
【００２４】
しかも、上糸送りにつながる下型天秤を、所定糸通し孔の他にベッド下方の糸巻きの上糸を直接導き通す第二糸通し孔を配す２孔方式を取ることで、天秤の揺動に起因し上糸を予め糸調子の前段で適宜量（長さ）繰出して溜める（非テンション糸）ので、糸調子の糸張りに左右されず糸が導かれ糸切れがない。特に、薄生地の縫着で面倒な糸調子の調整も容易になる。勿論、糸調子の調整は、糸の種類等によって縫い始めと縫い終わりのテンションの掛かりが違うが、下糸をボビンから導く長尺とするので、従来この種のミシンの短尺の下糸使用に起因し起こっていた縫い縮み等もなくすこともできる。
【００２５】
また、２本の針（縫い針と添え針）を支持する針棒を二重軸構造とし、この外環針棒部に縫い針を、中心で繰出す芯棒部側に添え針を配す同軸（芯）方式としたことで、双方軸に軸振れもない（狂わない）。このことは、添え針自体を極細形状とし得、縫い針の縦長溝に完全に嵌まり込ませることになり、薄い生地の縫着等にあっての針刺しも確実で、同生地自体の糸引掛けも起こらず、薄生地，厚生地でも良好な縫着になる。しかも、生地に対する針孔も小さく締まり、糸跳び等もなく、このために従来のステッチ縫いで困難であった直角縫いやカーブ縫いも可能になる。
【００２６】
また、針板下面で横往復する裏地送り機構は、裏地送り歯用の送り板のカム送りを、専用型の裏地送り軸の偏心カラーとコ字状揺動カム駒の簡易組合わせで行うため、コンパクトで誤動作のない裏地送り機構になる。しかも、裏地送り歯は針板上面側の布送り体とで生地を挟み一緒に送るので、表地，裏地双方にズレもなく、且つ生地（表地と裏地）の材質が厚地や薄地又は革地等であっても確実な生地送りができる。
【００２７】
更に、針板下面の狭い空間に臨むルーパー部の糸孔を、ルーパー部本体に側面にネジ等の止め具操作による繰出自在な摺動片に設けたため、従来面倒な糸通し作業の一つであるルーパー部の上糸通しにあって、前記摺動片を中央側（カマ側）へ少しずらすことで糸孔が外方から良く見え糸通しが容易になる。また、下糸はあくまでカマ側のボビンより繰出すため、長い距離の縫着でも下糸切れを招かない（例えば、６０番糸で４０ｍぐらい）等の実用的効果を奏する。
【発明を実施するための最良の形態】
【００２８】
以下、本発明の間歇ステッチ縫いミシンの実施例を図に基づいて説明すれば、次の通りである。
【００２９】
図１乃至図２９は上糸と下糸をミシン本体ベッド下方にセットする間歇ステッチ用本縫いミシンの要部を示す実施例である。１はミシン本体で、このベッド２の下部に、本体上部のアーム部１′に配置の上軸３より駆動ベルト４を介し１／２回転で伝達する駆動軸５を配設し、該駆動軸５より適宜連動する２本の異なる速さで前後動するルーパー用連動杆６，６′を並設し、該連動杆６，６′の各先端を針板下面に臨む上糸用糸孔７を設けたルーパー部８の一端と、該ルーパー部８を載置する基端をベッド２側に枢着９した支持板１０の先端側に連結し、この連動杆６，６′の各前後動に起因する相乗のカム作動で糸孔７を所定の針落ち位置ｃに対し水平状の８の字軌跡を描くよう設定し下糸絡み制御用ルーパー揺動装置部１１とする（図４．９参照）。この場合、糸孔７の８の字軌跡の運動は、詳しくは上軸３の回転より１／２で回転する駆動軸５の回転を伝達ベルト１２，連動軸１３及び傘歯車等の伝達機構１４を介し回転縦軸１５に伝達し、該回転縦軸１５から偏心軸受１６で第一の連動杆６の前後運動に変換し、また回転縦軸１５から増速歯車１４ａを介し上軸３と同回転をもつ偏心軸受１６′で第二の連動杆６′の前後運動に変換する。即ち、２本の異なる速さに前後動する連動杆６，６′で一種の二段カム機構とし、前記ルーパー部８の片側に突出の摺動片１７に配す糸孔７の位置が８の字軌跡を描く様になる。なお、図９に示す一点鎖線部分は軌跡線図であり、この線ｄが糸孔７の軌跡を示す全体の軌跡で、全体として水平状の８の字軌跡になり、この８の字軌跡図中、片側部分ｄ′が針落ち位置より逃げる部分で、残る半部分ｄ″が針落ち位置ｃの範疇となる。また、ルーパー部８自体の構成は、ルーパー本体側部に設けた調整溝８ａにネジ等の止め具１７ａをもって摺動自在となる摺動片１７を有し、該摺動片１７端に糸孔７を穿つてなる。この糸孔７は上糸ａを通すときにカマ枠部２０側となる横方向に適宜ずらせば、針板口側から覗いたときに糸孔１７がよく見え、従来面倒であった糸通し作業が容易になる（図１１参照）。
【００３０】
１８は駆動軸５よりクランクと縦ロッド及び三叉クランク等の公知の伝達機構（図示せず）を介し連動する半回転型のドライバー兼カマ用下軸で、該下軸１８の先端に一体とした回転基盤１９を、ベッド下面部に固定した筒型カマ枠部２０内に収容すると共に、該回転基盤１９の端面に、カマ枠部内片側を回る半回転型ドライバー部２１と、この対称位置に該ドライバー部２１で追従回転される半回転型カマ２２を組み付けて上糸絡み用カマ装置部２３とする。この場合、ドライバー部２１の構成は、回転基盤１９の端面片側にカマ枠部内周に沿う屈曲状のフック口用糸押え爪２５が付く制御駒２６と、該制御駒２６に対し直角に臨む前記糸押え爪２５と針板下面に出る針先が入る円弧状案内溝２７をもつ屈曲壁部２８を設けたカマ回転兼支持部材２９の組合わせよりなる。但し、前記制御駒２６は一端に装着した緩衝バネ２４により糸押え爪２５側を前記円弧状案内溝２７に沿う回動移行ができる。３０はカマ枠部２０の側壁に基部を枢着３５したＬ型状の下型天秤で、該天秤３０の基端に、前記駆動軸５から別途の傘歯車等の伝達機構３１を介して回転する天秤用カム３２、擺動レバー３３等を経て牽引往復する連動杆３４を連結する。また、天秤３０は先端に所定の糸通し孔３６を設けると共に、該糸通し孔３６より基方（下方位置）に、ベッド下方に別途配置する糸巻き３７から導く上糸ａを直接通すための第二糸通し孔３８を穿つ２孔形状とする（図４参照）。この天秤３０の揺動振りに伴い上糸ａを適宜長さを予め引き出して糸調子３９の前段位置に溜めるもので、該糸調子３９の張力に左右されない非テンション糸部分を得る。４０は前記駆動軸５から別途伝達する上軸３と同回転をもつ裏地送り軸で、該裏地送り軸４０は先端に設けた偏心軸部４０ａに偏心カラー４１を嵌め、該偏心カラー４１をベッド２の長手方向に直交となる横向き設置のコ字状傾斜の揺動カム駒４２の案内コ字溝４２ａに嵌めると共に、該揺動カム駒４２の側部に一体とした針板下面に延びる水平状送り板４３の中間に裏地送り歯４４を取付け、且つ送り板４３の先端をベッド反対側に起立の固定枠内に下端を枢軸４５ａで支持された起立揺動板４５に連結し、該起立揺動板４５と送り板４３及び揺動カム駒４２とで一種のリンク機構を呈し、裏地送り歯４４の歯面を針板上面に盛り上がる繰出しをもつクランク動作の裏地送り機構４６になる。なお、前記送り板４３の往復動は、偏心カラー４１のカム変位と起立揺動板４５の振れ及び揺動カム駒４２の側部にあって、ベッド側から突設の支持杆４７に装着したバネ４８の弾発と相俟って行うものである。
【００３１】
４９はベッド上部にあって、アーム部１′の先端部に起立配設した上軸３から公知のクランク機構５０等を介し上下運動する針棒で（図２，図１５，図２０参照）、該針棒４９は二重軸構造４９′としてなり、このうち外軸となる外環針棒部５１の下端に設けた支持駒５２にネジ等の締付手段にて縫い針５３を取付け、該外環針棒部５１端より更に下方に適宜繰出す内軸となる芯棒部５４の下端の支持駒５５に鉤折状の添え針５６をネジ等の締付手段にて取付ける。この場合、外環針棒部側支持駒５２の縫い針５３は芯棒部側支持駒５５に貫通させると共に、該針５３の側部に刻設の縦状長溝５３ａに支持駒５５側の添え針５６が添い嵌まる構成であり、且つ該縫い針５３と添え針５６は一緒に支持駒５５の下端突設の降下規制用凸段部５５ａに挿通する。但し、添え針５６は凸段部５５ａに一体であるが、縫い針５３は凸段部５５ａ中を昇降する。また、外環針棒部５１の上部はアーム部１′側の支持筒部５７に挿嵌され、外環針棒部５１の中間部に配すクランク連動駒５８の側部に一体の連設駒５８ａに、外環針棒部５１に平行する振れ止め軸５９を起立し、該振れ止め軸５９の上部をアーム側固定受け駒５７ａに挿通させ、且つ芯棒部５４の頂部には復帰バネ６０を装着し、前記全体の構成で針支持装置部６１となる。但し、前記添え針５６は針５３が生地Ａを刺す時に長溝５３ａに形成されたフック６２のフック口６２ａを塞ぐ添え構成で（図１５のＡ，Ｂ参照）、該フック口６２ａ縁に生地糸が引掛かからなくなり、フック６２内に入った上糸ａの跳び出し（抜け出し）を阻止する。
【００３２】
６３はアーム部１′の先端部に起立配設した上糸用ループ兼ループ外しとなる補助天秤装置部で、該補助天秤装置部６３の構成は、上軸３より適宜分岐した回転を１／２に落す伝達軸部３ａ端の縦動カム６４で擺動する天秤用擺動板６５の先端の軸承駒部６６に有する継手用円弧溝６６ａに、別途のアーム側固定枠６８に中間を支点枢着６９ａする補助天秤用縦支持体６９内に配設した縦摺動型昇降杆７０の上方側部に突設の接続球７１を嵌合し継手構成とした昇降機構７２と、前記縦支持体６９のアーム上方側に突設の受け片７３に、上軸３より別途分岐した回転を１／２に落とす伝達軸部３ｂに一体の横振りカム７４を当接し、このカム動作で前後揺動させる横振り機構７５との組合わせよりなる。また、前記昇降杆７０の下端には後方に屈曲するループ引掛け爪７６を突設している。７７は上軸３より公知の連動機構をもって昇降する針板７８の上面部に臨む押え金で、該押え金７７は、上軸３より別途分岐した横軸型の連動軸７９より公知の連動機構を介し所定布送り運動をする布送り体８０の下端に形成の二股案内溝部８０ａに入り込む構成であり、この布送り体８０の起立する支持杆部８０ｂと押え金７７の支持軸部７７ｂは一部重なる構造（図１６のＡ参照）を呈しアーム部先端にあってコンパクトとになり、且つ押え金７７の支持軸部７７ｂの頂部には布地押え調整となるスプリング８８も装着され、該押え金７７と布送り体８０が交互に昇降又は前後の動きをする。また、押え金７７の針落ち部分上面に設けた所定幅の凹段溝７７ａには、前記芯棒部側支持駒５５の凸段部５５ａが降下時に嵌まって止まる構成である（図１６のＢ参照）。即ち、芯棒部側添え針５６の降下規制は段溝嵌合でなされ、該添え針５６に必要以上の挿入負荷を与えない。このことは、添え針５６自体の形状を、縫い針５３の長溝５３ａに完全に嵌まり得る様な極細針にすることができ、薄生地の縫製等の針刺しも容易になる。これら、前記各装置部の全体組合わせをもって間歇ステッチ縫いミシンとなる。
【００３３】
なお、前記カマ装置部２３にあって、カマ枠部２０内のドライバー部２１とカマ２２のセット組みとしては、半回転型のドライバー部２１の片側に配した屈曲壁部２８の端縁２８ａ（図１３参照）と、カマ２２（図１４参照）の片側に突出の剣先２２ａの基部に形成された括れ凹部２２ｂが嵌まり、ドライバー部２１の屈曲壁部２８と対称側に突設の受け片部２８′の端縁２８ａ′をカマ２２の括れ凹部２２ｂと反対側に有する段部２２ｃに当接させ全体として環型嵌め込みとなる。即ち、ドライバー部２１とカマ２２は双方追従の半回転（正逆回転）をする。また、ドライバー部２１の回転規制としては、カマ回転兼支持部材２９を介し制御駒２６と対称側に設けた停止片８１の鉤片部８１ａが、カマ枠部２０の側壁に穿った円弧状調節溝孔６７の適宜箇所に挿通するネジ等のストッパー８２の先端部に接衝して止まり、制御駒２６の回転角度が決まり（図２３の左下方の止め具と図１３の点線参照）、前記案内溝２７に突入する縫い針５３の折損をなくす。
【００３４】
次にこの作用を説明すると、図２４（Ａ）（Ｂ）乃至図２９（Ａ）（Ｂ）に示す縫い針とカマ，ドライバー部及びルーパー部の位置関係の作動説明図に基づき述べる。先ず、図２４（Ａ）にあって、針板７８と布送り体８０及び押え金７７間に所定生地Ａを差し込みのセットをする。この場合、縫い針５３の位置は最上位に臨み、ベッド下部のカマ枠部２０の側壁位置に枢着の下型天秤３０のセット位置は上糸ａを通す糸通し孔３６が最下位である。この下型天秤３０に対する上糸ａの糸道としては、糸巻き３７から引き出した上糸ａを下型天秤３０の基方位置の第二糸通し孔３８に一旦挿通させ、その上糸ａの先をカマ枠部２０の側壁から固定突出の支杆８６の案内孔８７を経てから糸調子３９に掛けるので、天秤３０の天秤運動に起因し繰出される糸巻き３７からの上糸ａは糸調子３９の手前位置に適宜溜まる状態になり、該上糸ａに糸調子３９の引張りを直接受けない、従って、糸調子３９の引張りによる糸切れを招かない。
【００３５】
この後、糸調子３９から導出した上糸ａは下型天秤３０の先端の糸通し孔３６を経て針板下面に配すルーパー部８の糸孔７に導き、この上糸ａを生地Ａ側に繰出すと共に、カマ２２にセットしたボビンケース８５に装填したボビン（図示せず）から導く下糸ｂは針板７８を経て生地Ａ側に直接導出させるものである。このとき、布送り体８０の位置は一番奥側（後退）にスイングした状態を呈し、押え金７７は少し上昇位置にあり、且つカマ枠部２０内のカマ２２は針板下面のカマ枠部蓋開口部分２０ａに臨む上方位にあり、ドライバー部２１はカマ枠部２０の下方に位置する。
【００３６】
ここにおいて、所定のクランク運動に起因して昇降する針棒である二重軸の外環針棒部５１と芯棒部５４は一定長さ分を一緒に降下し、各軸下端に突出の縫い針５３と添い針５６が生地Ａに刺さる。この縫い針５３が生地Ａに刺さるとき該針のフック６２のフック口６２ａには添い針５６が位置して口塞ぎをするため、該フック口６２ａの縁で生地端の糸を引掛けることもなく円滑な縫い刺しができる。ここで、芯棒部５４が一定降下（生地厚の中間位置）したとき、該芯棒部側支持駒５５の凸段部５５ａが下方に臨む押え金７７の凹段部７７ａに段合嵌して降下停止となり、芯棒部５４が止まれば添え針５６もその位置（生地厚内）で待機となる（図１６のＢ，図２０のＢ参照）。この後は、外環針棒部５１のみが所定動作で更に降下し縫い針５３が生地Ａを抜けて針板下面側のカマ枠部２０のカマ枠部蓋開口部分２０ａに達し、回動（半回転）してきたドライバー部２１の屈曲壁部２８の案内溝２７に入る（図２５のＡ参照）。このドライバー部２１の屈曲壁部２８の案内溝２７内にあっては、縫い針５３のフック６２に掛かった上糸ａは屈曲壁部２８の案内溝２７に案内される制御駒２６の糸押え爪２５が少し回動移行し、該糸押え爪２５で縫い針５３のフック口６２ａを塞ぐために糸跳ねがない。なお、降下停止で待機の添え針５６は、縫い針５３が上糸掛けをして生地Ａ中に戻る上昇時に再度フック口６２ａを塞ぎ生地Ａ自体の抜け出しを容易とし、糸抜けも防ぐ。このとき、押え金７７も一旦上昇した位置から下がり生地Ａを押える。
【００３７】
また、生地Ａを通り針板７８を経て下方（針落ち位置ｃ）へ進む縫い針５３に対する天秤３０側より縦状に導く上糸ａは、針板７８の下面に臨むルーパー部８の糸孔７が水平状８の字軌跡ｄ（図９のルーパー部の鎖線図参照）の運動をするため、この時糸孔７の位置が軌跡後部ｄ′に移行して針落ち位置ｃに対し迂回状態を呈し針が掛からないよう（針が逃げる位置）に移行される（図２４のＢから図２５のＢの矢印参照）。この状態では、カマ２２が回転しても、その剣先２２ａで上糸ａは捕らえられず、上糸ａがカマ２２の周囲を回らず、従って、この段階では上糸ａが下糸ｂに絡まない１回遊びとなる。
【００３８】
ここで、降下した縫い針５３が所定の戻り動作に移行し上昇する際、上糸ａをフック６２に掛けて生地Ａを通過し上方へ引き上げるが（図２６のＡ参照）、生地Ａを出る時は、前記生地厚の中途で待機している添え針５６が前記同様に縫い針５３のフック口６２ａを塞ぐため、該フック口６２ａの下縁が生地Ａに引っ掛からず円滑に抜け出る。このとき、上糸ａが引き上げられた分だけ下型天秤３０も上昇へ移行する。更に、生地Ａの上に抜けた縫い針５３が最上位に達すれば、引き上げられた上糸ａにループａ′が形成され、このとき押え金７７は上昇し且つ布送り体８０で布送りがなされる。但し、このドライバー部２１とカマ２２の関係は、同図にあってカマ枠部２０内の左右位置に来ている。
【００３９】
次に、上糸ａを生地Ａ上に引き上げた最上位の縫い針５３が少し降下すると、前記上糸ａのループａ′に緩みが生じる。このとき、縫い針５３の側方に位置する補助天秤装置部６３の昇降機構７２が作動し、この下端に突出してなるループ引掛け爪７６がループａ′に進入して引掛け上方に持ち上げる（図２６のＡ参照）。
【００４０】
即ち、このときの昇降機構７２は、上軸３から連動の縦動カム６４の回転に伴い擺動板６５が基点軸６５ａを支点としそのカム変位に応じて擺動し、先端の軸承駒部６６と継手嵌合する昇降機構側の接続球７１も上昇し、該接続球７１に一体の昇降杆７０が縦支持体６９内を摺動し屈曲状のループ引掛け爪７６を持ち上げる（図２２の矢印参照）。このとき、昇降杆７０の昇降動は支持枠部側に刻設の縦状屈曲案内溝８４にガイドされた摺動ピン８３をもって屈曲追従するため、下端のループ引掛け爪７６端は全体として外方に振られるように上昇移行がなされると共に、このとき縦支持体６９自体も上端の受け片７３が横振りカム７４のカム変位に応じて横振りされるので、ループに掛かるループ引掛け爪７６が全体として外方へ大きな円弧を描くような動きになり、確実なループ引掛け作業となる。このループ引掛け爪７６で引掛けられた上糸ａのループａ′は、該ループ引掛け爪７６の上昇に伴い拡大ループとなる。この後、補助天秤装置部６３の昇降杆７０が最大位に来たとき、押え金７７は降下して生地Ａを押える。この状態で縫い針５３が再度生地Ａを刺し通して最下位まで達し少し戻れば、針板７８の下部にあって上糸ａに弛みループａ′が形成される（図２８のＡ参照）。
【００４１】
この状態で、カマ２２が回転して来れば（図２８にあって、剣先２２ａが右向き回転）、この剣先２２ａが針板７８の下部で形成された上糸ａの弛みループａ′を引掛けて行くと同時に、針板７８の上部にあってはループ引掛け爪７６に係止したループａ′が、昇降
機構７２の昇降杆７０が少し降下すると共に、後方に少し振った横振り機構７５自体が戻り回転をするために外れる。即ち、上糸ａの針板下位の弛みループａ′はカマ２２の剣先２２ａで引掛けると同時に針板上位の補助天秤装置部６３が降下しループａ′を放す。このとき、押え金７７が上昇すると共に布送り体８０も後退し所定量の布送りがなされる。
また、天秤３０は最上位となっていて、ルーパー部８の糸孔７は８の字軌跡ｄの前半位置ｄ″（絡み位置）に移行する。
【００４２】
従って、ここで図２９のＡに示す様にカマ２２が順次回転すれば、上糸ａに弛みループａ′がカマ２２の周囲をぐるりと回り、該上糸ａとカマ２２内のボビンケース８５から出た下糸ｂと絡むようになり、このとき天秤３０が引き下げられ糸を張ると共に布送りがなされ、天秤３０が完全に下がった時に布送りも止まり初めて縫い目が形成され縫い終わりとなる。
【００４３】
この様な工程で縫着した縫い目は、図３０のＡ，図３０のＢに示す様に生地Ａの表面に表れる上糸ａは下糸ｂが１回絡まない状態で１回布送りがなされるため、上糸ａのループａ′が一目おきに表面を引かれ下糸ｂに掛かる状態となり、実質的に所定間隙ｅを隔てたステッチ縫いとなる。
【００４４】
また、上記縫い目の形成での縫い端の糸止め作業としては、図３１のＡ，図３１のＢに示す様に単に縫い端となる生地Ａの下面に位置した上糸ａを下方へ引っ張れば、該上糸ａの一目手前の生地Ａに潜った絡み部が生地Ａの上に一旦引き上げられ、絡み部に絡んだ下糸ｂも一緒に生地Ａ上に抜け出る。更に、上糸ａを下方へ引っ張れば生地Ａより絡み部が下方に抜け出ると共に、上糸ａに絡み形成された下糸ｂの絡み部ｂ″が縫い目にめり込む様になり止まる。
【００４５】
ここで、上糸ａと下糸ｂとの関係は、同図３０のＡ，図３０のＢの様に生地Ａの上面側に表れるステッチは上糸ａで構成され、生地Ａの下面側には下糸ｂと上糸ａの一部と絡み部ａ″が部分的に表れる。このため、下糸ｂは生地Ａの下面で一線上に張られた状態となるので、一旦縫ったステッチの糸解きに際しては、生地Ａの下面の下糸ｂを数箇所引っ張れば簡単に抜ける。
【図面の簡単な説明】
【００４６】
【図１】本発明の間歇ステッチ縫いミシンの実施例を示す側面図である。
【図２】同一部切り欠き要部を示す正面側の斜視図である。
【図３】同ミシン上部の裏面側の側面図である。
【図４】同ミシン下部の駆動機構の要部を示す斜視図である。
【図５】同ミシン上部の正面側の要部を示す斜視図である。
【図６】同ミシン上部にあって上部ルーパーを可動した説明図である。
【図７】同ミシン上部にあって上部ルーパーを外し針棒及び布押えの連動機構を示す説明図である。
【図８】同上部ルーパーと布押えの関係を示す説明図である。
【図９】速度の異なる２本の連動杆の組み合わせで下部ルーパー端の針孔が８の字軌跡を描く説明図である。
【図１０】同ルーパー駒の要部拡大の説明図である。
【図１１】同ルーパー駒にあって糸通し孔を可動にする説明面である。
【図１２】ミシン下部に位置する半回転型カマ部の説明図である。
【図１３】同カマ枠内に収容するカマと組み合わすドライバー機構部の説明図である。
【図１４】同カマ内にあってドライバー機構部の対称位置に臨む半回転往復運動をするカマの斜視図である。
【図１５】縫い針と添え針を示す図で、（Ａ）は縫い針と添え針の関係を示す斜視図、（Ｂ）は縫い針と添え針の支持が二重針棒に取付き、且つ縫い針の案内縦溝に添え針が臨む説明図である。
【図１６】同上布送りと上布押えの関係を示す図で、（Ａ）はスイング動をもつ上布送りの左右片部間に上下動のみを行う上布押えが臨む斜視図、（Ｂ）は同上布押えの段溝に縫い針と添え針の凸段部が接し下降規制を受ける説明図である。
【図１７】裏地送りの駆動機構の要部を示す斜視図である。
【図１８】前記駆動機構の一部である水平状送り板の裏地送り歯がカマ枠部の上面位置に臨む説明図である。
【図１９】前記送り板の先端を連結する起立揺動板の説明図である。
【図２０】針支持装置部の説明で、（Ａ）は公知のクランク機構をもって二重軸構造の針棒中、外環針棒部が上昇した状態の説明図、（Ｂ）は同外環針棒部が降下し縫い針と添え針が布地に刺さると共に、針棒捩じり止め手段を示す説明図である。
【図２１】上部ルーパーのスイング機構を示す説明図である。
【図２２】同上部ルーパーのループ引っ掛け爪の要部の説明図である。
【図２３】カマ枠部内にあって、前記ドライバー部の半回転停止位置とストッパーとの関係を示す説明図である。
【図２４】上糸と下糸の縫着関係を示す説明で、（Ａ）は縫い針を最上位に待機した説明図、（Ｂ）は同ルーパー部と針落ち位置の位置関係を示す説明図である。
【図２５】上糸と下糸の縫着関係を示す説明で、（Ａ）は縫い針を針板下方に刺し針落ち位置より外した説明図、（Ｂ）は同ルーパー部と針落ち位置の位置関係を示す説明図である。
【図２６】上糸と下糸の縫着関係を示す説明で、（Ａ）は縫い針で上糸を引上げた針を針板下方に刺し針落ち位置より外した説明図、（Ｂ）は針落ち位置を回ったルーパー部の位置関係の説明図である。
【図２７】上糸と下糸の縫着関係を示す説明で、（Ａ）は引き上げた上糸にループ部を作った説明図、（Ｂ）は同ルーパー部と針落ち位置の位置関係の説明図である。
【図２８】上糸と下糸の縫着関係を示す説明で、（Ａ）は前記引き上げた上糸のループ部を緩めカマの剣先で引っ掛ける説明図、（Ｂ）は同ルーパー部と針落ち位置の位置関係の説明図である。
【図２９】上糸と下糸の縫着関係を示す説明で、（Ａ）は外れたループ部をカマの周囲に回す説明図、（Ｂ）は針落ち位置を回ったルーパー部の位置の説明図である。
【図３０】生地に間歇ステッチの縫端の糸止めを示す説明で、（Ａ）は平面図、（Ｂ）は上糸を引っ掛け下糸の絡み部を生地にめり込ませ糸止めした説明図である。
【図３１】生地に間歇ステッチの縫端の糸止めを示す説明で、（Ａ）は平面図、（Ｂ）は上糸を引っ張り下糸の絡み部を生地にめり込ませ糸止めした説明図である。
【符号の説明】
【００４７】
１    ミシン本体
２    ベッド
３    上軸
５    駆動軸
６，６′    ルーパー用連動杆
７    糸孔
８    ルーパー部
１１    ルーパー揺動装置部
１８    カマ用下軸
２０    カマ枠部
２１    ドライバー部
２２    半回転型カマ
２５    糸押え爪
２６    制御駒
２９    カマ回転兼支持部材
３０    下型天秤
３６    糸通し孔
３７    糸巻き
３８    第二糸通し孔
４０    裏地送り軸
４３    水平状送り板
４４    裏地送り歯
４６    裏地送り機構
４９    針棒
４９′    二重軸構造
５１    外環針棒部
５２    支持駒
５３    縫い針
５４    芯棒部
５５    支持駒
５５ａ    凸段部
５６    添え針
６１    針支持装置部
６２    フック
６３    補助天秤装置部
６５    擺動板
６９    縦支持体
７２    昇降機構
７４    横振りカム
７６    ループ引掛け爪
７７    押え金
７７ａ    凹段部
７８    針板
８０    布送り体
【図１】
2006068380.tif 000003
【図２】
2006068380.tif 000004
【図３】
2006068380.tif 000005
【図４】
2006068380.tif 000006
【図５】
2006068380.tif 000007
【図６】
2006068380.tif 000008
【図７】
2006068380.tif 000009
【図８】
2006068380.tif 000010
【図９】
2006068380.tif 000011
【図１０】
2006068380.tif 000012
【図１１】
2006068380.tif 000013
【図１２】
2006068380.tif 000014
【図１３】
2006068380.tif 000015
【図１４】
2006068380.tif 000016
【図１５】
2006068380.tif 000017
【図１６】
2006068380.tif 000018
【図１７】
2006068380.tif 000019
【図１８】
2006068380.tif 000020
【図１９】
2006068380.tif 000021
【図２０】
2006068380.tif 000022
【図２１】
2006068380.tif 000023
【図２２】
2006068380.tif 000024
【図２３】
2006068380.tif 000025
【図２４】
2006068380.tif 000026
【図２５】
2006068380.tif 000027
【図２６】
2006068380.tif 000028
【図２７】
2006068380.tif 000029
【図２８】
2006068380.tif 000030
【図２９】
2006068380.tif 000031
【図３０】
2006068380.tif 000032
【図３１】
2006068380.tif 000033